(57)【要約】【課題】本発明は、画像を受信する端末の表示能力に応じた見やすい画面を表示するための情報を生成する画像配信装置を提供する。【解決手段】複数の表示装置と接続され、該表示装置において表示する画像を配信する配信手段を有する画像配信装置であって、前記画像の領域を指定する指定手段と、前記配信手段は、前記指定手段により指定された領域を示す情報を配信する画像配信装置。【選択図】図１
2013255123.tif 000002
【特許請求の範囲】
【請求項１】
複数の表示装置と接続され、該表示装置において表示する画像を配信する配信手段を有する画像配信装置であって、
前記画像の領域を指定する指定手段を有し、
前記配信手段は、前記指定手段により指定された領域を示す情報を配信する画像配信装置。
【請求項２】
前記配信手段は、更に、前記画像のテキスト情報を配信する請求項１記載の画像配信装置。
【請求項３】
前記配信手段は、前記指定手段により、同一の画像に対して、異なる領域が新たに指定された場合、前記画像及び前記テキスト情報を配信せずに、新たに指定された領域を示す情報を配信する前記請求項１又は２記載の画像配信装置。
【請求項４】
画像配信装置と接続され、該画像配信装置から配信された画像に基づき生成された表示用画像を表示する表示装置であって、
前記画像配信装置から送信された前記画像と、該画像に関する指定された領域を示す指定情報とを受信する受信手段と、
前記画像配信装置から配信された前記画像のデータ量と、当該表示装置の表示能力とに基づいて表示領域を決定する表示領域決定手段と、
前記表示領域決定手段により決定された前記表示領域に基づいて表示用画像を生成する表示用画像生成手段とを有し、
前記表示領域決定手段は、前記画像のデータ量が、当該表示装置の前記表示能力の基準を満たさない場合、前記指定情報に示された前記画像に関する領域を中心とした表示領域を決定する表示装置。
【請求項５】
前記表示領域決定手段は、前記表示用画像に表示されるテキスト情報が、当該表示装置の前記表示能力の基準を満たすように表示領域を決定する前記請求項４記載の表示装置。
【請求項６】
前記表示能力の基準は、更に、前記表示装置に表示される画面態様を含む前記請求項４又は５記載の表示装置。
【請求項７】
複数の表示装置と接続され、該表示装置において表示する画像を有する画像配信装置を構成するコンピュータを、
前記画像の一点又は前記画像の領域を指定する指定手段、
前記画像及び前記指定手段により指定された領域を示す情報を配信する配信手段として機能させる画像配信制御プログラム。
【請求項８】
画像配信装置と接続され、該画像配信装置から配信された画像に基づき生成された表示用画像を表示する表示装置を構成するコンピュータを、
前記画像配信装置から送信された前記画像と、該画像に関する指定された領域を示す指定情報とを受信する受信手段、
前記画像配信装置から配信された前記画像のデータ量と、当該表示装置の表示能力とに基づいて表示領域を決定し、前記画像のデータ量が、当該表示装置の前記表示能力の基準を満たさない場合、前記指定情報に示された前記画像に関する領域を中心とした表示領域を決定する表示領域決定手段、
前記表示領域決定手段により決定された前記表示領域に基づいて表示用画像を生成する表示用画像生成手段として機能させる表示制御プログラム。
【請求項９】
複数の表示装置と、該表示装置と接続され、該表示装置において表示する画像を配信する配信手段を有する画像配信装置とを有する画像配信システムであって、
前記画像配信装置は、
前記画像の領域を指定する指定手段を有し、
前記配信手段は、前記指定手段により指定された領域を示す情報を配信し、
前記表示装置は
前記画像配信装置から送信された前記画像と、該画像に関する指定された領域を示す指定情報とを受信する受信手段と、
前記画像配信装置から配信された前記画像のデータ量と、当該表示装置の表示能力とに基づいて表示領域を決定する表示領域決定手段と、
前記表示領域決定手段により決定された前記表示領域に基づいて表示用画像を生成する表示用画像生成手段とを有し、
前記表示領域決定手段は、前記画像のデータ量が、当該表示装置の前記表示能力の基準を満たさない場合、前記指定情報に示された前記画像に関する領域を中心とした表示領域を決定する画像配信システム。
【発明の詳細な説明】
【技術分野】
【０００１】
本発明は、画像配信装置、表示装置及び画像配信システムに関する。
【背景技術】
【０００２】
近年、ネットワークを利用したテレビ会議やｗｅｂ会議等の遠隔コミュニケーションシステムにおいて、相手の映像だけではなく、端末のデスクトップ画面やアプリケーションの画面をお互いに共有することを可能とする技術が知られている。
【０００３】
また、従来、画面を共有するサーバにおいて画像の一部が特定されると、特定された一部と同一の位置・大きさの画像が、クライアント端末の画面に表示されるという技術が開示されている（特許文献１）。
【０００４】
一方、遠隔コミュニケーションシステムを利用する端末は、小型軽量化されたＰＣ（例えば、ネットブック）やタブレット端末、スマートフォン等のように多様化が進んでいる。
【発明の概要】
【発明が解決しようとする課題】
【０００５】
遠隔コミュニケーションシステムの一つであるｗｅｂ会議では、発表者が、会議参加者に、プレゼンテーション資料の画面共有をしながら、資料に沿って説明を行うのが一般の利用形態である。
【０００６】
ｗｅｂ会議において、他のクライアント端末に画面を共有する画面共有サーバと共有画面が表示されるクライアント端末の表示能力とが異なる場合があり得る。そのため、例えば、サーバ側から共有される元の画像データの画像サイズが、クライアント端末側で表示可能なピクセル数を上回っている場合、クライアント端末の画面では、画像の一部が欠けて表示できなかったりする。また、例えば、クライアント端末の画面が小さい場合は、画面に表示される文字が小さくなり過ぎ、共有される資料の内容が見づらかったりする。
【０００７】
特許文献１では、サーバのユーザ（発表者）の操作によって、サーバ側で特定された画像の一部が表示された画面と同一の位置、大きさの画面がクライアント側で表示される。
【０００８】
しかしながら、ｗｅｂ会議は遠隔で行われる場合が一般的であり、発表者が複数のクライアント端末の画面の表示能力を確認し、相手側の画面の表示能力に合わせた上で画面表示をそれぞれの端末毎に行うというのは現実的ではなく、端末の表示能力によっては、共有される資料が見づらくなるという上記の問題を解決できるものではない。
【０００９】
本発明は、上記の点に鑑みてなされたものであって、画像を受信する端末の表示能力に応じた見やすい画面を表示するための情報を生成する画像配信装置の提供を目的とする。
【課題を解決するための手段】
【００１０】
そこで上記課題を解決するため、本発明は、複数の表示装置と接続され、該表示装置において表示する画像を配信する配信手段を有する画像配信装置が、前記画像の領域を指定する指定手段を有し、前記配信手段は、前記指定手段により指定された領域を示す情報を配信することを特徴とする。
【発明の効果】
【００１１】
画像を受信する端末の表示能力に応じた見やすい画面を表示するための情報を生成する画像配信装置を提供することができる。
【図面の簡単な説明】
【００１２】
【図１】本発明の実施の形態における画像配信システムの構成例を示す図である。
【図２】本発明の実施の形態における画像配信装置又は表示装置のハードウェア構成の一例を示す図である。
【図３】本発明の第一の実施の形態における画像配信装置の機能構成の一例を示す図である。
【図４】画像情報記憶装置の構成の一例を示す図である。
【図５】表示画面における領域を指定する方法の一例を示す図である。
【図６】本発明の第一の実施の形態における表示装置の機能構成の一例を示す図である。
【図７】本発明の第一の実施の形態における表示能力記憶装置に記憶される情報の構成の一例を示す図である。
【図８】本発明の第一の実施形態における表示領域を決定する処理手順の一例を示すフローチャート図である。
【図９】本発明の第一の実施形態における表示領域を決定する処理方法の一例を示す図である。
【図１０】本発明の第一の実施形態における画像配信システムの動作手順の一例を示すシーケンス図である。
【図１１】会議システム用アプリ起動後の初期画面の一例を示す図である。
【図１２】本発明の第二の実施の形態における表示能力記憶装置に記憶されている情報の構成の一例を示す図である。
【図１３】本発明の第二の実施形態における表示領域を決定する処理手順の一例を示すフローチャート図である。
【図１４】本発明の第二の実施形態における表示領域を決定する処理方法の一例を示す図である。
【図１５】本発明の第二の実施形態の動作手順を示すシーケンス図の一例である。
【図１６】表示部の画面レイアウト構成の一例を示す図である。
【図１７】本発明の実施形態の変形例における表示能力記憶装置に記憶されている情報の構成の一例を示す図である。
【発明を実施するための形態】
【００１３】
以下、本発明の実施の形態について、図面を用いて説明する。
〔第一の実施形態〕
［システム構成］
図１（Ａ）は、本発明の実施の形態における画像配信システム１の構成例を示す図である。
【００１４】
画像配信システムには、一方の情報処理装置（例えば、ＰＣ（Personal Computer））から他方の情報処理装置に、一方向でコンテンツデータを配信するデータ提供システムや、複数の情報処理装置間で情報を相互に伝達するコミュニケーションシステムが含まれる。画像配信システムとして、例えば、ｗｅｂ会議システムやＰＣ画面共有システム等が挙げられる。ｗｅｂ会議システムは、資料やソフトウェアを共有するための機能と音声や映像等のコミュニケーション機能が統合されたコミュニケーションシステムである。
【００１５】
図１（Ａ）に示す画像配信システム１は、画像配信装置１０と、ｎ台の表示装置２０ａ、２０ｂ、・・・２０ｎ（以下、それぞれを区別しない場合「表示装置２０」という。）から構成されている。画像配信装置１０と表示装置２０は、ＬＡＮ（Local Area Network）又はインターネット等のネットワーク９９（有線又は無線の別は問わない）を介して、通信可能に接続されている。
【００１６】
画像配信装置１０は、情報入力機能、情報表示機能及び通信機能等を有する機器である。本実施形態において、画像配信装置１０は、表示装置２０に対して、表示装置２０の画面に表示するための画像データを配信するコンピュータである。ここで、画像データは、例えば、デスクトップ画面やアプリケーションウィンドウの画像データ及び文書作成ソフトウェア、表計算ソフトウェア、プレゼンテーション用ソフトウェア等を用いて利用されるデータを表す。画像配信装置１０の一例として、ＰＣ、スマートフォン、タブレット型端末又はＰＤＡ（Personal Digital Assistance）等が挙げられる。
【００１７】
表示装置２０は、情報入力機能、情報表示機能及び通信機能等を有する機器である。本実施形態において、表示装置２０は、画像配信装置１０から配信される画像データに基づき、表示用画像を生成し、この表示用画像を画面に表示する。表示装置２０の一例として、ＰＣ、スマートフォン、タブレット型端末又はＰＤＡ等が挙げられる。
【００１８】
なお、画像配信システム１を構成する機器は、画像配信装置１０及び表示装置２０の両方の機能を備えてもよい。
【００１９】
図1（Ｂ）は、本発明の実施の形態における画像配信システム１を、ｗｅｂ会議に利用した場合（利用場面）の例を示した図である。この場合、本発明の第一の実施の形態における画像配信システム１は以下のように利用される。
【００２０】
（１）まず、画像配信装置１０、表示装置２０ａ、２０ｂ、・・・２０ｎは、ネットワーク９９を介し、通信可能に接続している。また、画像配信装置１０及び表示装置２０において、画像の配信、受信及び各装置での画面共有等を実現するソフトウェア（例えば、会議システム用アプリ）がインストールされている。
【００２１】
（２）画像配信装置１０のユーザ（発表者）が、会議システム用アプリを起動し、アプリのメニュー画面から表示装置２０に配信したいプレゼンテーション資料（画像データ）を選択すると、画像データが画像配信装置１０のディスプレイに表示される。なお、画像データは、画像配信装置１０が備える記憶領域に保持している場合や、ファイルサーバ等の外部の記憶領域に保持されている場合が考えられる。本実施例では、画像データは、Ｂｉｔｍａｐ形式のデータである。但し、画像データには、静止画及び動画が含まれる。また、画像データは、ＪＰＥＧ(Joint Photographic Experts Group)、ＪＰＥＧ2000、ＭＰＥＧ（Moving Picture Experts Group）、ＡＶＩ（Audio Video Interleave）等Ｂｉｔｍａｐ形式以外のデータでもよい。
【００２２】
（３）発表者は、画像データが表示された画像配信装置１０のディスプレイにおいて、発表者が参加者に注目して欲しい領域をポインタ操作等により指定する領域指定を行い、指定された領域に対応した座標値を得る。なお、領域には点が含まれる。
【００２３】
（４）発表者が、選択した画像データを配信するための入力操作を行うと、画像配信装置１０から、表示装置２０に、画像データ、画像サイズ及び指定領域に対応した座標値の情報（以下、「指定領域情報」という。）が配信される。ここで、画像サイズとは、画像データのデータ量であり、総ピクセル数（横×縦）である。
【００２４】
（５）表示装置２０において、会議システム用アプリが予め起動されている。この状態で配信された画像データ、画像サイズ及び指定領域情報を受信すると、表示装置２０のディスプレイの表示能力に基づいた表示画像が生成される。ディスプレイの表示能力とは、ディスプレイが表示可能な総ピクセル数（横×縦）である。ディスプレイの表示能力が、受信した画像サイズ以上であるか否かを判定し、表示領域を決定する。ここで表示領域とは、受信した画像のうちディスプレイに表示させる範囲をいう。ディスプレイの表示能力が画像サイズ以上である場合は、配信された画像データそのままの大きさとして、ディスプレイの中心に表示させた領域を表示領域とする。一方、ディスプレイの表示能力が画像サイズ未満である場合は、画像データのうち指定領域情報に基づく領域をディスプレイの中心に移動させた領域が表示領域となる。
【００２５】
以上のように、本発明の第一の実施の形態における画像配信システム１では、表示装置２０のディスプレイの表示能力に応じ、発表者がフォーカスした画像データがディスプレイに表示されるので、参加者は、表示装置２０のディスプレイの表示能力が低い場合においてもプレゼンテーション資料が見やすくなり、発表者の説明が理解しやすくなる。
［ハードウェア構成］
＜画像配信装置＞
図２は、本発明の第一の実施の形態における画像配信装置１０のハードウェア構成の一例を示す図である。図２において、画像配信装置１０は、ＣＰＵ１０１、ＲＯＭ１０２、ＲＡＭ１０３、ＨＤＤ１０４、ＮＶＲＡＭ１０５、ネットワークＩ／Ｆ１０６、表示部１０７、操作部１０８、メディアドライブ１０９、ＣＤ−ＲＯＭドライブ１１０、外部装置Ｉ／Ｆ１１１、バスライン１１２等を有する。
【００２６】
ＲＯＭ１０２には、例えば会議システム用アプリを含む各種のプログラムやプログラムによって利用されるデータ等が記憶されている。ＲＡＭ２０３は、プログラムをロードするための記憶領域やロードされたプログラムのワーク領域等として用いられる。ＣＰＵ１０１は、ＲＡＭ２０３にロードされたプログラムを処理することにより、各種の機能を実現する。ＨＤＤ(Hard Disk Drive)１０４は、ＣＰＵ１０１の制御に従って、各種データが記憶されたＨＤ(Hard Disk)１０４ａに対するデータの読み出し又は書き込みを制御する。ＮＶＲＡＭ１０５には、画像配信装置１０の各種の設定情報等が記憶される。
【００２７】
ネットワークＩ／Ｆ１０６は、ＬＡＮ等のネットワーク９９（有線又は無線の別は問わない。）に接続するためのハードウェアである。
【００２８】
表示部１０７は、ユーザに対して、カーソル、メニュー、ウィンドウ、文字又は画像等の各種情報の表示出力がされる液晶や有機ＥＬ等のユーザインタフェース画面である。
【００２９】
操作部１０８は、ユーザが設定や命令等の入力操作を行うためのハードキー、ボタン、マウス及びタッチパネル等によるソフトキーである。操作内容はＣＰＵ１０１に通知される。
【００３０】
なお、表示部１０７は、操作部１０８を一体にしたタッチパネルであってもよい。
【００３１】
メディアドライブ１０９は、フラッシュメモリ等の記録メディア１０９ａに対するデータの読み出し又は書き込み（記憶）を制御する。
【００３２】
ＣＤ−ＲＯＭドライブ１１０は、着脱可能な記録媒体の一例としてのＣＤ−ＲＯＭ(Compact Disc Read Only Memory)１１０ａに対するデータの読み出し又は書き込みを制御する。
【００３３】
外部装置Ｉ／Ｆ１１１は、外部の装置と情報を送受信する。
【００３４】
バスライン１１２は、上記各構成要素を図２に示されているように電気的に接続するためのアドレスバスやデータバス等である。
【００３５】
なお、プログラムは、インストール可能な形式又は実行可能な形式のファイルで、上記記録メディア１０９ａやＣＤ−ＲＯＭ１１０ａ等のコンピュータで読み取り可能な記録媒体に記録され、ＲＡＭ１０３にロードされてもよい。
【００３６】
＜表示装置＞
表示装置２０は、上記画像配信装置１０と同様の図２に示されるハードウェア構成を有する。そのため、説明は省略する。
【００３７】
＜ハードウェアの動作概要＞
本発明の第一の実施形態では、以下のようにハードウェアが動作する。
【００３８】
（１）まず、画像配信装置１０のユーザ（発表者）は、操作部１０８であるキーボードやマウス等を用いて、会議システム用アプリを起動するための入力操作を行う。操作部１０８からＣＰＵ１０１に入力内容が通知されると、ＣＰＵ１０１は、予めＮＶＲＡＭ１０５にインストールされている会議システム用アプリを起動する。
【００３９】
（２）発表者は、表示部１０７に表示された会議システム用アプリの初期画面を操作し、表示装置２０に配信する画像データを選択すると、選択した画像データが画面に表示される。この表示された画面が表示装置２０に配信される。画像データは、例えば、ＨＤ１０４ａに記憶されている場合、発表者の入力指示を受け付けると、ＣＰＵ１０１が、ＨＤＤ１０４を制御し、ＨＤ１０４ａに記憶されている画像データを読み出し、表示部１０７に表示させる。画像データは、ＨＤ１０４ａ以外の画像配信装置１０の記憶領域や外部記録媒体である記録メディア１０６ａに記憶されていてもよい。
【００４０】
（３）表示部１０７に表示された画面において、発表者が表示装置２０のユーザ（参加者）に注目して欲しい領域が指定される。ここで、領域は、例えば、操作部１０８（マウス）のドラッグ＆ドロップ操作による開始時点及び終了時点における表示部１０７上に位置するポインタの座標値により定められる。指定領域を示す座標値の情報（以下、「指定領域情報」という。）は、ＲＡＭ１０３に記憶される。なお、例えば、発表者により領域が指定されない場合は、例えば、表示画面の中心の座標が指定されることとする。
【００４１】
（４）画像配信装置１０のユーザによって、画像配信の入力指示が行われると、ＣＰＵ１０１は、ＲＡＭ１０３等の各記憶領域から画像データ、画像サイズ及び指定領域情報を取得する。ネットワークＩ／Ｆ１０６を制御し、取得した画像データ、画像サイズ及び指定領域情報を、表示装置２０に配信する。
【００４２】
（５）表示装置２０では、予め、ＣＰＵ１０１は、ＮＶＲＡＭ１０５にインストールされている会議システム用アプリを起動しておく。この状態で、表示装置２０のネットワークＩ／Ｆ１０６を介して配信された画像データ、画像サイズ及び指定領域情報を受信すると、ＮＶＲＡＭ１０５に記憶されている表示部１０７の表示能力を取得する。
【００４３】
（６）続いて、ＣＰＵ１０１によって、受信した画像データの画像サイズと、表示部１０７の表示能力が比較され、表示部１０７の表示能力が画像サイズを上回る場合は、配信された画像データをそのままのサイズで表示部１０７に表示する表示用画像が生成される。一方、表示装置２０の表示部１０７の表示能力が画像サイズを下回る場合は、画像データのうち指定領域情報に基づく領域を中心とし、その中心から表示部１０７の表示能力に見合うサイズに変倍された画像データに基づき、表示用画像が生成される。
【００４４】
（７）生成された表示用画像はＣＰＵ１０１の指示に基づき、表示部１０７に表示される。
［機能構成］
＜画像配信装置＞
図３は、本発明の第一の実施の形態における画像配信装置１０の機能構成の一例を示す図である。各機能はＣＰＵ１０１がプログラムを実行し、ハードウェアと協働することで実現される。
【００４５】
画像配信装置１０は、画像配信装置本体１０ａ、画像情報記憶装置１２１、操作部１２２及び表示部１２３を有する。
【００４６】
画像情報記憶装置１２１には、図２のＲＯＭ１０２やＲＡＭ１０３、ＮＶＲＡＭ１０５が用いられる。
【００４７】
図４は、画像情報記憶装置１２１に記憶される情報の一例を示す図である。画像情報記憶装置１２１には、画像データ、画像データのデータ量（横×高さの総ピクセル数）を示す画像サイズ、画像データに含まれるテキスト（フォント）の大きさを示すテキスト情報（テキストサイズ）等が記憶されている。その他に、画像データの表題や作成年月日等のメタデータが記憶されている。本実施の形態では、画像データはＢｉｔｍａｐ形式で記憶される。画像データがＢｉｔｍａｐ形式ではない場合は、Ｂｉｔｍａｐ形式に変換され、画像情報記憶装置１２１に記憶される。テキストサイズは、同一の画像データに複数のテキストサイズが含まれる場合は、最も小さいテキストサイズが記憶される。
【００４８】
図３中の操作部１２２は、図２に示す操作部１０８が対応する。表示部１２３は、図2に示す表示部１０７が対応する。
【００４９】
画像配信装置本体１０ａは、配信画像情報生成手段１１、画像領域指定手段１２、配信手段１３、操作制御手段１４及び表示制御手段１５等を有する。
【００５０】
配信画像情報生成手段１１は、ユーザによる操作部１２２での画像配信のための入力操作を受け付けると、表示装置２０に配信するための配信画像情報を生成する。配信画像情報には、画像情報記憶装置１２１に記憶されている画像データ、画像サイズ及び画像領域指定手段１２によって指定される指定領域情報が含まれる。配信画像情報生成手段１１が、配信画像情報を生成すると、配信手段１３に、配信画像の配信を要求する。
【００５１】
画像領域指定手段１２は、表示部１２３に表示される画像データのうち、指定された領域を示す指定領域情報を生成し、配信画像情報生成手段１１に送信する。指定領域情報は、操作制御手段１４によって制御されたポインタ位置にあたる座標値に基づき生成される。
【００５２】
図５は、画像データが表示された画面において、領域を指定する方法の一例を示す図である。画像配信装置１０のユーザが、領域を指定すると、指定された領域に対応した座標を得る。
【００５３】
図５（A）は、表示画面において一点が指定される場合である。操作部１２２（マウス）のポインタによって、画像データの中の一点（１００，２００）が指定されている例である。
【００５４】
図５（Ｂ）は、表示画面において領域が指定される場合である。操作部１２２（マウス）のドラッグ＆ドロップ操作における操作開始時のポインタの位置（１００，２００）と操作終了時のポインタの位置（４００，３００）の二点によって特定される領域が指定されている例である。
【００５５】
なお、領域を指定する方法は、上記のマウスを用いた操作以外の方法、例えば、操作部１２２がタッチパネルの場合は、指先でのタップやピンチアウトによる操作であってもよい。
【００５６】
また領域は、図５（Ｂ）に示されるように、二点の座標値から特定される領域だけでなく、例えば、座標に三点以上がプロットされる場合にこれらの点に囲まれる部分を領域としてもよい。
【００５７】
図４中の配信手段１３は、ユーザによる操作部１２２での画像配信要求の入力を受け付けると、生成された配信画像を、表示装置２０に配信する。
【００５８】
操作制御手段１４は、ユーザが操作部１２２により画像配信装置１０に情報を入力する操作制御を行う。本実施の形態において、画像データが表示される画面において領域を指定するための入力操作を受け付ける。
【００５９】
表示制御手段１５は、ユーザに対する情報を表示部１２３上に表示出力する表示制御を行う。
【００６０】
＜表示装置＞
図６は、本発明の第一の実施の形態における表示装置２０の機能構成の一例を示す図である。各機能はＣＰＵ１０１がプログラムを実行し、ハードウェアと協働することで実現される。
【００６１】
表示装置２０は、表示装置本体２０ａ、表示能力記憶装置２２１及び表示部２２２を有する。
【００６２】
表示能力記憶装置２２１には、ＲＯＭ１０２やＲＡＭ１０３、ＮＶＲＡＭ１０５が用いられる。
【００６３】
図７は、本発明の第一の実施の形態における表示能力記憶装置２２１に記憶される情報の一例を示す図である。表示能力記憶装置２２１には、表示部２２２が表示可能な総ピクセル数及び表示部２２２の物理的サイズを示す画面サイズ（インチ数）等が記憶されている。
【００６４】
表示装置本体２０ａは、受信手段２１、表示領域決定手段２２、表示用画像生成手段２３及び表示制御手段２４を有する。
【００６５】
受信手段２１は、画像配信装置１０から配信される画像データ、画像サイズ及び指定領域情報を受信する。
【００６６】
表示領域決定手段２２は、表示用画像を生成するために用いる画像データの表示領域を決定する。表示領域決定手段２２は、表示能力記憶装置２２１に記憶されている表示部２２２の表示能力を取得し、取得した表示能力が、受信した画像サイズ以上であるか否かを判定し、表示領域を決定する。表示部２２２の表示能力が画像サイズ以上である場合、受信した画像データをそのままの大きさで表示する領域を表示領域とする。一方、表示部２２２の表示能力が画像サイズ未満である場合は、画像データのうち指定領域情報に基づく領域を表示部２２２の中心に移動させた領域を表示領域とする。画像表示領域決定手段２２は、決定した表示領域を示す情報に基づいた表示用画像の生成を、表示用画像生成手段２３に要求する。
【００６７】
表示用画像生成手段２３は、表示領域決定手段２２によって決定された表示領域に基づき表示用画像を生成し、表示制御手段２４に表示用画像の表示出力を要求する。
【００６８】
表示制御手段２４は、ユーザに対する情報を表示部１２３上に表示出力する表示制御を行う。本実施の形態では、生成された表示用画像を、表示部２２２に表示出力する。
［表示領域を決定する処理手順］
図８は、本発明の第一の実施形態における表示領域を決定する処理手順の一例を示すフローチャート図である。なお、画像配信システム１に関する詳細な動作手順は図１０により後述する。
【００６９】
まず、表示装置２０の受信手段２１は、画像配信装置１０から配信される画像データ、画像サイズ及び指定領域情報を受信する（Ｓ１１）。表示領域決定手段２２は、自機の表示部２２２の表示能力を取得する（Ｓ１２）。ここで、第一の実施形態における表示能力とは、表示部２２２が表示可能な総ピクセル数である。表示領域決定手段２２は、自機の表示能力が、受信した画像サイズ以上であるか否かを判定する（Ｓ１３）。判定の結果、自機の表示能力が画像サイズ以上である場合（Ｓ１３において「ＹＥＳ」）、受信した画像データそのままの大きさを表示領域とする（Ｓ１４）。一方、判定の結果、自機の表示能力が画像サイズ未満である場合（Ｓ１３において「ＮＯ」）、受信した指定領域を、表示部２２２の中心に移動させた領域を表示領域とする（Ｓ１５）。表示用画像生成手段２３は、決定された表示領域に基づき、表示用画面を生成する（Ｓ１６）。
【００７０】
図９は、本発明の第一の実施形態における表示領域を決定する処理方法の一例を示す図である。
【００７１】
図９（ａ）は、画像配信装置１０から配信される画像サイズが１０００×８００ピクセルの画像データである。座標は、画像データの左上を原点（０，０）とした絶対座標である。ここで、画像配信装置１０のユーザ（発表者）によって、（２００，２００）、（５００，３００）の二点によって定められた長方形の領域が指定されている。指定領域の中心の座標は、（３５０，２５０）である。画像データの中心の座標は、（５００，４００）である。
【００７２】
図９（ａ）に示された画像データが、図９（ｂ）に示される表示装置２０の表示部２２２の表示能力（表示可能な総ピクセル数）がＳＸＧＡ（１２８０×１０２４ピクセル）及び図９（ｃ）に示される表示部２２２の表示能力がＳＶＧＡ（８００×６００ピクセル）に、配信される場合のそれぞれの画像データの処理方法について説明する。図９（ｂ）、（ｃ）の座標は、表示部２２２の左上を原点（０，０）とした絶対座標である。
【００７３】
図９（ｂ）の場合、表示部２２２の表示能力が画像サイズ以上であるため、画像データに示される全てのテキストデータを、表示部２２２上に表示することができる。表示領域は、図９（ａ）の画像データの中心の座標（５００，４００）を、図９（ｂ）の表示部２２２の中心の座標（６４０，５１２）に移動させた領域である。表示用画像生成手段２３によって、図９（ｂ）の（０，０）と（１２８０，１０２４）の二点によって定められた長方形の領域が表示用画像として生成される。また、図９（ｂ）のように、表示部２２２の画面サイズが大きく、表示用画像と画面サイズとの間に余白部分が在る場合は、図９（ｂ２）のように、表示用画像を表示部２２２の画面サイズいっぱいまで拡大してもよい。
【００７４】
図９（ｃ）の場合、表示部２２２の表示能力が画像サイズ未満であるため、画像データに示される全てのテキストデータを、表示部２２２上に表示することができない。表示領域は、図（ａ）の画像データの指定領域の中心の座標（３５０，２５０）を、図９（ｃ）の表示部２２２の中心の座標（４００，３００）に移動させた領域である。表示用画像生成手段２３によって、図（ｃ）の（０，０）と（８００，６００）の二点によって定められた長方形の領域が表示用画像として生成される。
［動作手順］
図１０は、本発明の第一の実施形態における画像配信装置１の動作手順の一例を示すシーケンス図である。
【００７５】
図１０の初期状態において、画像配信装置１０及び表示装置２０には、予め、会議システム用アプリが、各装置のＮＶＲＡＭ１０５等にインストールされ、起動中状態となっている。但し、例えば、画像表示装置２０が、画像配信装置１０から送信される画像データを受信する契機に、会議システム用アプリを起動させてもよい。
【００７６】
Ｓ１０１：画像配信装置１０のユーザ（発表者）は、操作制御手段１４により制御される操作部１２２を操作すると、会議システム用アプリの初期画面を、表示制御手段１５の制御により表示部１２３に表示させる。初期画面には、画像配信を実行するか否かを示す画面が表示される。
【００７７】
図１１は、表示部１２３に表示されるアプリ起動後の初期画面の一例を示す図である。発表者が画像配信をしたい場合は、操作部１２２を操作して図１１（Ａ）に示される画面を表示させる。初期画面には2つのソフトキー（ａ）、（ｂ）が表示されている。
【００７８】
（ａ）「ＹＥＳ」は、発表者が、表示装置２０に、画像配信を行う場合に選択するソフトキーである。
【００７９】
（ｂ）「ＮＯ」は、発表者が、画像配信を行わない場合に選択するソフトキーである。
【００８０】
発表者が図１１（Ａ）において（ｂ）「ＮＯ」を選択すると、会議システム用アプリは終了する。一方、発表者が、図１１（Ａ）において（ａ）「ＹＥＳ（画像を配信する）」を選択すると、図１１（Ｂ）に示される配信画像の選択確認画面に遷移する。発表者は画像選択リストから配信する画像データを選択して「ＯＫ」を入力する。なお、画像選択の方法は、リスト形式に代えて、サムネイル形式から選択するようにしてもよい。
【００８１】
図１０に戻り説明する。
【００８２】
発表者による配信画像を選択する配信画像選択要求の入力指示を受け付けると、操作制御手段１４は、配信画像情報生成手段１１に、画像データ及び画像サイズの取得を要求する。
【００８３】
Ｓ１０２：配信画像情報生成手段１１は、画像情報記憶装置１２１に記憶されている画像データ及び画像サイズを取得する。配信する画像データが選択されると、会議システム用アプリは、画像データのうち、領域を指定する画面を表示部１２３に表示する。
【００８４】
Ｓ１０３：発表者は、表示部１２３に表示された画面において、操作部１２２（マウス等）の操作により、領域を示す座標値を指定する領域指定を行う。領域指定により指定された領域を示す座標値（指定領域情報）はＲＡＭ１０３に記憶される。操作制御手段１４は、領域の指定操作の完了を、配信画像情報生成手段１１に通知する。なお、発表者によって領域が指定されない場合は、例えば、表示画面の中心の座標が指定されることとする。
【００８５】
Ｓ１０４：配信画像情報生成手段１１は、ＲＡＭ１０３に記憶された指定領域情報を取得し、画像データ、画像サイズ及び指定領域情報を含む配信画像情報を生成する。
【００８６】
Ｓ１０５：操作制御手段１４が、発表者による画像配信要求の入力指示を受け付けると、配信画像情報生成手段１１に、当該要求に基づく処理を要求する。配信画像情報生成手段１１は、生成した配信画像情報の配信を配信手段１３に要求する。
【００８７】
Ｓ１０６：配信手段１３は、画像データ、画像サイズ及び指定領域情報を含んだ配信画像情報の配信を実行する。表示装置２０の受信手段２１が、画像配信装置１０から配信された配信画像情報を受信すると、受信した配信画像情報を表示装置２０のＲＡＭ１０３に記憶するとともに、表示領域決定手段２２に、当該受信に伴う処理を要求する。
【００８８】
Ｓ１０７：表示領域決定手段２２は、表示部２２２の表示能力が記憶されている表示能力記憶装置２２１から表示能力を取得する。表示能力は、表示部２２が表示可能なピクセル数であり、表示部２２及びＣＰＵ１０１、メモリの性能によって決定される。
【００８９】
Ｓ１０８：表示領域決定手段２２は、表示部２２２の表示能力が、受信した画像サイズ以上であるか否かを判定し、表示領域を決定する。表示部２２２の表示能力が画像サイズ以上である場合は、配信された画像データそのままの大きさとして、表示部２２２の中心に表示された画像データが表示領域となる。一方、表示部２２２の表示能力が画像サイズ未満である場合は、画像データのうち指定領域情報に基づく領域を表示部２２２の中心に移動させた画像データが表示領域となる。
【００９０】
表示領域決定手段２２は、表示用画像生成手段２３に、決定した表示領域に基づいた表示用画像の生成を要求する。
【００９１】
Ｓ１０９：表示用画像生成手段２３は、決定された表示領域に基づいた表示用画像を生成すると、表示制御手段２４に、表示用画像の表示を要求する。
【００９２】
Ｓ１１０：表示制御手段２４は、表示部２２２上に表示用画像を表示出力する。
【００９３】
以降のステップＳ１１１〜Ｓ１１７は、表示装置２０における表示用画像の表示出力後、画像配信装置１０が配信した同一の画像データに対して、領域指定された場合の動作である。
【００９４】
Ｓ１１１：発表者は、ステップＳ１０６において配信した画像データと同一の画像データが表示された画面において、領域指定を行う。領域指定により指定された指定領域情報はＲＡＭ１０３に記憶される。操作制御手段１４は、領域指定の入力操作の完了を、配信画像情報生成手段１１に通知する。
【００９５】
Ｓ１１２：配信画像情報生成手段１１は、ＲＡＭ１０３に記憶されている配信した画像データと同一の画像データであることを示すファイルID及び指定領域情報を取得すると、配信手段１３に、ファイルＩＤ及び指定領域情報の配信を要求する。
【００９６】
Ｓ１１３：配信手段１３は、ファイルＩＤ及び指定領域情報の配信を実行する。表示装置２０の受信手段２１が、画像配信装置１０から配信された指定領域情報を受信すると、表示領域決定手段２２に、当該受信に伴う処理を要求する。
【００９７】
Ｓ１１４：表示領域決定手段２２は、表示部２２２の表示能力が記憶されている表示能力記憶装置２２１から表示能力を取得する。
【００９８】
Ｓ１１５：表示領域決定手段２２は、表示領域を決定する際に用いるステップＳ１０６において受信していた画像サイズをＲＡＭ１０３から取得する。表示領域を決定する処理は、ステップＳ１０８と同じである。
【００９９】
Ｓ１１６：表示用画像生成手段２３は、表示用画像を生成する際に用いるステップＳ１０６において受信していた画像データをＲＡＭ１０３から取得する。表示用画像生成手段２３は、決定された表示領域に基づいた表示用画像を生成すると、表示制御手段２４に、表示用画像の表示を要求する。
【０１００】
Ｓ１１７：表示制御手段２４は、表示部２２２上に表示用画像を表示出力する。
【０１０１】
以降、画像データの配信後、配信した画像データと同一の画像データに対して領域指定が行われた場合は、ステップＳ１１１〜Ｓ１１７の動作を繰り返す。
【０１０２】
上述したように、本発明の第一の実施形態によれば、表示装置２０のディスプレイの表示能力に応じ、発表者がフォーカスした画像データがディスプレイに表示されるので、参加者は、表示装置２０のディスプレイの表示能力が低い場合においても発表者の説明を理解し易くなる。
〔第二の実施形態]
第二の実施形態と第一の実施形態の相違点を以下に示す。
【０１０３】
まず、画像配信装置１０から配信する配信画像情報の中に、画像データ、画像サイズ、指定領域情報に加えて、画像データのテキスト（フォント）の大きさを示すテキストサイズが含まれる点である。
【０１０４】
そして、表示装置２０が表示領域を決定する際に、表示部２２２の表示可能ピクセル数と画像サイズの比較だけでなく、表示部２２２の画面サイズに対して、画像データ上のテキストサイズが一定以上の大きさであるか否かを判定する点である。テキストサイズに関する判定は、表示装置２０に記憶されている表示用テキストサイズ基準値に基づいて行う。判定の結果、受信したテキストサイズが基準値未満である場合は、基準値のテキストサイズになるように、画像データを変倍（ズーム）する。表示用テキストサイズ基準値は、予め表示能力記憶装置２２１に記憶されている画面サイズごとに異なる値である。表示用テキストサイズ基準値は、会議システム用アプリによって、画面サイズごとに予め決められた固定値であるが、ユーザによって、任意に設定してもよい。
【０１０５】
第二の実施形態では、表示部２２２の物理的な画面サイズが小さく、表示用画像に表示されるテキストサイズが小さくなってしまう場合、テキストサイズが表示部２２２において視認可能な程度に変倍（ズーム）するため、表示装置２０のユーザ（参加者）は、見やすい大きさでテキストを視認することができ、説明の理解が促進される。
［システム構成及びハードウェア構成］
第二の実施形態のシステム構成及びハードウェア構成は、図１に示される第一の実施形態のシステム構成の一例及び図２に示される第一の実施形態のハードウェア構成の一例と同じ構成を有する。
［機能構成］
第一の実施形態との相違点を中心に説明する。
【０１０６】
画像配信装置１０の配信画像情報生成手段１１は、画像データ、画像サイズ、指定領域情報に加えてテキストサイズが含まれた配信画像情報を生成する。
【０１０７】
図１２は、表示装置２０の表示能力記憶装置２２１に記憶されている情報の構成の一例を示す図である。図１２に示されるように、表示部２２２が表示可能な総ピクセル数、表示部２２２の物理的サイズを示す画面サイズ（インチ数）、表示用テキストサイズ基準値等が記憶されている。
【０１０８】
表示装置２０の表示領域決定手段２２は、表示能力記憶装置２２１に記憶されている表示部２２２の表示能力である表示可能な総ピクセル数及び画面サイズを取得し、取得した表示能力が、受信した画像サイズ以上であるか否か、また、テキストサイズが一定以上の大きさであるか否かを判定し、表示領域を決定する。画像サイズが、表示部２２２の表示能力の基準を満たす場合、受信した画像データをそのままの大きさで表示する領域を表示領域とする。一方、画像サイズが表示部２２２の表示能力の基準を満たさない場合、受信した指定領域情報に示された領域を中心とし、表示部２２２の表示能力に見合う大きさに変倍された領域を表示領域とする。
［表示領域を決定する処理手順］
図１３は、本発明の第二の実施形態における表示領域を決定する処理手順の一例を示すフローチャート図である。
【０１０９】
まず、表示装置２０の受信手段２１は、画像配信装置１０から配信される画像データ、画像サイズ、指定領域情報及びテキストサイズを受信する（Ｓ２１）。表示領域決定手段２２は、自機の表示部２２２の表示能力を取得する（Ｓ２２）。ここで、第二の実施形態における表示能力とは、表示部２２２が表示可能な総ピクセル数及び表示用テキストサイズ基準値である。表示領域決定手段２２は、自機の表示可能ピクセル数が、受信した画像サイズ以上であるか否かを判定する（Ｓ２３）。判定の結果、自機の表示能力が画像サイズ以上である場合（Ｓ２３において「ＹＥＳ」）、配信されたテキストサイズが、表示用テキストサイズ基準値以上であるか否かを判定する（Ｓ２４）。配信されたテキストサイズが基準値以上である場合、受信した画像データそのままの大きさを表示領域とする（Ｓ２５）。一方、自機の表示能力が画像サイズ未満である場合（Ｓ２３において「ＮＯ」）、配信されたテキストサイズが、表示用テキストサイズ基準値以上であるか否かを判定する（Ｓ２６）。ここで、ステップＳ２４又はＳ２６において、配信されたテキストサイズが表示用テキストサイズ基準値未満である場合（Ｓ２４又はＳ２６において「ＮＯ」）、指定領域を表示部２２２の中心に移動させ、表示されるテキストサイズが基準値以上になるように画像データを変倍した領域を表示領域とする（Ｓ２７）。また、ステップＳ２６において、配信されたテキストサイズが、表示用テキストサイズ基準値以上である場合（Ｓ２６において「ＹＥＳ」）、配信された指定領域を、表示部２２２の中心に移動させた領域を表示領域とする（Ｓ２８）。表示用画像生成手段２３は、決定された表示領域に基づき、表示用画面を生成する（Ｓ２９）。
【０１１０】
図１４は、第二の実施の形態において表示領域を決定する場合の処理方法の一例を示す図である。図１３のステップＳ２５における処理方法は、第一の実施形態の場合と同じであるため、説明を省略する。ステップＳ２６に対応した表示領域を決定する処理について説明する。
【０１１１】
図１４（ａ）において、画像配信装置１０の表示部１２３の画面サイズは１９インチ、配信される画像サイズは１２８０×１０２４ピクセルの画像データ、画像データ上のテキストサイズは１２ポイントである。座標は、画像データの左上を原点（０，０）とした絶対座標である。ここで、画像配信装置１０のユーザ（発表者）によって、（１００，３００）、（４００，４００）の二点によって定められた長方形の領域が指定されている。指定領域の中心の座標は、（２５０，３５０）である。
【０１１２】
図１４（ｂ）において、表示部２２２の画面サイズは１２．１インチ、表示能力がＳＶＧＡ（８００×６００ピクセル）である。図１４（ｂ）の座標は、表示部２２２の左上を原点（０，０）とした絶対座標である。
【０１１３】
図１４（ｂ）の場合、表示部２２２の表示能力が、画像サイズ未満であるため、画像データに示される全てのテキストデータを、表示部２２２上に表示することができない。表示領域を決定するために、まず、図１４（ａ）の画像データの指定領域の中心の座標（２５０，３５０）を、図１４（ｂ）の表示部２２２の中心の座標（４００，３００）に移動させる。ここで、図１２に示されるように、表示能力記憶装置２２１に記憶されている表示用テキストサイズ基準値は、例えば、１６ポイントとする。配信された画像データのテキストサイズが１２ポイントであるので、そのテキストサイズは、記憶されている表示用テキストサイズ基準値未満である。そのため、図１４（ｃ）に示されるように、テキストサイズが表示部２２２上において１６ポイントになるように、画像データを拡大する。
［動作概要］
図１５は、本発明の第二の実施形態の動作手順を示すシーケンス図の一例である。図１５中、図１０と同一ステップには、同一ステップ番号を付し、その説明は省略する。
【０１１４】
Ｓ１０２ａ：画像配信装置１０の配信画像情報生成手段１１は、画像配信装置のユーザ（発表者）による配信画像を選択する入力操作に基づき、画像情報記憶装置１２１に記憶されている画像データ、画像サイズ及びテキストサイズを取得する。配信する画像データが選択されると、会議システム用アプリは、画像の領域を指定する画面を表示部１２３に表示する。
【０１１５】
Ｓ１０６ａ：配信手段１３は、画像データ、画像サイズ、テキストサイズ及び指定領域情報を含んだ配信画像情報の配信を実行する。
【０１１６】
Ｓ１０７ａ：表示装置２０の表示領域決定手段２２は、表示能力記憶装置２２１から表示部２２が表示可能な総ピクセル数と表示用テキストサイズ基準値とを取得する。
【０１１７】
Ｓ１０８ａ：表示領域決定手段２２は、まず、表示部２２２の表示可能な総ピクセル数が、受信した画像サイズ以上であるか否かを判定する。続いて、受信したテキストサイズが、表示用テキストサイズ基準値以上であるか否かを判定する。判定結果に基づき、表示領域決定手段２２は、表示領域を決定する。
【０１１８】
上述したように、本発明の第二の実施形態によれば、配信された画像データのテキストサイズが小さい場合は、発表者がフォーカスした画像データの一定の領域が拡大されるので、参加者は、表示装置２０のディスプレイサイズが小さい場合においても発表者の説明を理解し易くなる。
〔変形例〕
以下に、上記実施形態における変形例を説明する。
【０１１９】
図１６は、画像配信装置１０及び表示装置２０のディスプレイに表示される画面レイアウト（画面態様）の一例を示す図である。ここで画面レイアウトとは、画面に表示させる画像等の数や種類（例えば静止画又は動画）等によって変えることができる画面における画像等の配置の態様（画面態様）である。例えば、ｗｅｂ会議システムは、資料の共有や音声、映像等によるコミュニケーション等を実現するシステムであり、画像配信装置１０及び表示装置２０のディスプレイには、画像配信装置１０から配信された画像データだけでなく、会議参加者（発表者を含む）の映像が表示される。図１６（ａ）の画面レイアウトは、画像配信装置１０から配信された共有画像がディスプレイに全画面表示される共有画像のみが表示される例である。図１６（ｂ）の画面レイアウトは、共有画像と自分以外の会議参加者の映像が同じ大きさで、それぞれディスプレイの半分に表示されるピクチャーアンドピクチャーの例である。図１６（ｃ）の画面レイアウトは、共有画像と複数の会議参加者である相手の映像がディスプレイに均等分割されて表示されるマルチビューの例である。本発明の実施の形態では、会議システム用アプリにより、図１６に示される各パターンの表示が実現される。なお、画面レイアウトの構成及び画面に表示されるコンテンツは、上記の構成に限らない。
【０１２０】
図１７は、本発明の実施形態の変形例における表示能力記憶装置２２１に記憶される情報の構成の一例を示す図である。表示能力記憶装置２２１には、表示可能総ピクセル数、画面サイズ及び会議システムアプリによって実現される画面レイアウトのパターンを示す画面レイアウト種別が記憶されている。
［動作概要］
変形例の動作概要を、第一の実施の形態の動作概要が示された図１０を用いて説明する。
【０１２１】
変形例の場合、図１０に示されるステップＳ１０７において、表示領域決定手段２２は、表示能力記憶装置２２１から表示可能総ピクセル数に加えて、画面レイアウト種別を取得する。続いて、表示領域決定手段２２は、表示部２２２の表示能力が、受信した画像サイズ以上であるか否かを判定し、表示領域を決定する。ここで、変形例では、表示能力として、表示可能総ピクセル数に、共有画像が表示される画面の面積比率を乗算したピクセル数を用いる。これにより、例えば図１６（ｂ）に示されるピクチャーアンドピクチャーのレイアウト形式であった場合は、表示可能総ピクセル数の半分のピクセル数が表示能力となる。
【０１２２】
上述したように、本発明の変形例によれば、表示画面のレイアウト構成に応じて、発表者がフォーカスした画像データの一定の領域が拡大されるので、参加者は、表示装置２０の共有画像の表示画面が小さい場合においても発表者の説明を理解し易くなる。
〔その他の変形例〕
なお、本実施の形態では、会議システム用アプリを利用して、画像の配信、領域指定、及び受信等を実現したが、画像配信装置１０及び表示装置２０の機能を具備した画像配信システム用の専用端末によって、実現されてもよい。
【０１２３】
なお、本実施の形態では、Ｂｉｔｍａｐ形式の画像データを、記憶装置に記憶したり、ネットワークを介して送受信したりしたが、記憶や送受信時にはＧＩＦ（Graphic Interchange Format）やＰＮＧ（Portable Network Graphics）といった可逆圧縮形式のファイル形式に変換してもよい。これにより、一般にデータ量の大きいＢｉｔｍａｐ形式のデータを圧縮することにより、記憶領域やネットワークへの負荷を軽減することが可能である。また、画像データの操作をＢｉｔｍａｐ形式として実行するのではなく、例えば、ＪＰＥＧやＰＤＦ（Portable Document Format）形式等としてもよい。
【０１２４】
なお、本実施の形態で挙げた表示能力記憶装置２２１に記憶される表示領域を決定する基準として、例えば、表示装置２０と接続するネットワーク９９の通信速度を用いてもよい。
【０１２５】
以上、本発明の実施例について詳述したが、本発明は斯かる特定の実施形態に限定されるものではなく、特許請求の範囲に記載された本発明の要旨の範囲内において、種々の変形、変更が可能である。
【符号の説明】
【０１２６】
１              画像配信システム
１０            画像配信装置
１１            配信画像情報生成手段
１２            画像領域指定手段
１３            配信手段
１４            操作制御手段
１５            表示制御手段
２０            表示装置
２１            受信手段
２２            表示領域決定手段
２３            表示用画像生成手段
２４            表示制御手段
１２１          画像情報記憶装置
１２２          操作部
１２３          表示部
２２１          表示能力記憶装置
２２２          表示部
【先行技術文献】
【特許文献】
【０１２７】
【特許文献１】特開２００６−１７２１９３号公報
【図１】
2013255123.tif 000003
【図２】
2013255123.tif 000004
【図３】
2013255123.tif 000005
【図４】
2013255123.tif 000006
【図５】
2013255123.tif 000007
【図６】
2013255123.tif 000008
【図７】
2013255123.tif 000009
【図８】
2013255123.tif 000010
【図９】
2013255123.tif 000011
【図１０】
2013255123.tif 000012
【図１１】
2013255123.tif 000013
【図１２】
2013255123.tif 000014
【図１３】
2013255123.tif 000015
【図１４】
2013255123.tif 000016
【図１５】
2013255123.tif 000017
【図１６】
2013255123.tif 000018
【図１７】
2013255123.tif 000019